(57)【特許請求の範囲】
【請求項１】
側野縁の側面に野縁の端部を接合して天井枠組を構成してなる天井パネルにおいて、
側野縁を構成するリップ付Ｃ形鋼のウエブに野縁の端部を接合し、該リップ付Ｃ形鋼の上下のリップに取付用ブラケットを架け渡して固定したことを特徴とする天井パネル。
【請求項２】
前記側野縁を構成するリップ付Ｃ形鋼のウエブと上フランジとの交差部に陥凹状段差部を備えてなる請求項１記載の天井パネル。
【請求項３】
請求項１又２に記載の天井パネルを備えており、前記取付用ブラケットは天井パネルの外方に向けて突出する取着部を備えており、取着部が天井パネルの外の躯体に取着されることより天井パネルが躯体に支持されてなることを特徴とする建物。
【発明の詳細な説明】
【０００１】
【発明の属する技術分野】
本発明は天井パネル及び建物に関する。
【０００２】
【従来の技術】
従来、天井パネルを構成する天井枠組の構造として、特公平７−１０９１１７号公報に記載の如く、Ｃ形鋼からなる枠材の開口を天井の内側向きとなるように配置し、角パイプからなる野縁の端部を枠材の開口に嵌め込み固定したものがある。
【０００３】
【発明が解決しようとする課題】
然しながら、従来の天井パネルでは、枠材を構成するＣ形鋼の上下のフランジに挟まれる開口に野縁を嵌め込んだものであり、野縁を介して作用する鉛直荷重は該Ｃ形鋼の下フランジに作用し、該下フランジを下向きに開き変位させる。例えば、天井パネルの野縁の上に足場板を取着したとき、足場板から野縁を介して枠材の下フランジに作用する鉛直荷重が該下フランジを大きく開き変位させて、天井パネルの構造強度、形状精度を損なう。
【０００４】
本発明の課題は、側野縁の側面に野縁の端部を接合して天井枠組を構成してなる天井パネルにおいて、その天井パネルの強度、形状精度を安定確保することにある。
【０００５】
【課題を解決するための手段】
請求項１の発明は、側野縁の側面に野縁の端部を接合して天井枠組を構成してなる天井パネルにおいて、側野縁を構成するリップ付Ｃ形鋼のウエブに野縁の端部を接合し、該リップ付Ｃ形鋼の上下のリップに取付用ブラケットを架け渡して固定したものである。
【０００６】
請求項２の発明は、請求項１の発明において更に、前記側野縁を構成するリップ付Ｃ形鋼のウエブと上フランジとの交差部に陥凹状段差部を備えてなるようにしたものである。
【０００７】
請求項３の発明は、請求項１又２に記載の天井パネルを備えた建物であって、前記取付用ブラケットは天井パネルの外方に向けて突出する取着部を備えており、取着部が天井パネルの外の躯体に取着されることより天井パネルが躯体に支持されてなるようにしたものである。
【０００８】
【作用】
請求項１、３の発明によれば下記（１）の作用がある。
（１）天井パネルにおいて、天井枠組の側野縁を構成するＣ形鋼の上下のリップを取付用ブラケットで連結したから、Ｃ形鋼の剛性を高くし、且つ上下のフランジの開き変位を抑制できる。これにより、天井パネルの強度、形状精度を安定確保できる。
【０００９】
請求項２、３の発明によれば（２）、（３）の作用がある。
（２）天井枠組の側野縁の上面でウエブ側の角部に陥凹状段差部を備えるものとしたから、相対する側野縁の上記段差部に足場板や防火用面材の両端部を支持させることができ、天井枠組の野縁の上部にそれらの足場板や防火用面材を張り設けることができる。
【００１０】
（３）天井枠組の側野縁の上面でウエブ側の角部に陥凹状段差部を備えるものとしたから、側野縁の断面の剛性を向上し、ひいては天井パネルの強度、形状精度を向上できる。
【００１１】
【発明の実施の形態】
図１は第１実施形態の天井パネルを示し、（Ａ）は断面図、（Ｂ）は要部斜視図、図２は側野縁と取付用ブラケットを示す斜視図、図３は天井パネルの取付状態を示し、（Ａ）は全体斜視図、（Ｂ）は要部斜視図、図４は天井パネルの取付構造を示す断面図、図５は第２実施形態の天井パネルを示し、（Ａ）は断面図、（Ｂ）は要部斜視図、図６は側野縁と取付用ブラケットを示す斜視図、図７は天井パネルの取付状態を示し、（Ａ）は全体斜視図、（Ｂ）は要部斜視図、図８は天井パネルの取付構造を示す断面図、図９は第３実施形態の側野縁と取付用ブラケットを示し、（Ａ）は斜視図、（Ｂ）は断面図、図１０は天井パネルの取付構造を示す断面図、図１１は第４実施形態の側野縁と野縁との接合構造を示す斜視図、図１２は図１１の接合工程を示す断面図である。
【００１２】
（第１実施形態）（図１〜図４）
天井パネル１０は、図１、図３に示す如く、建物ユニット１における壁パネル２の上位に設置されるものであり、相対する側野縁１１、１１と、両側野縁１１、１１の間に架け渡される複数本の野縁１２と、建物ユニット１への取付用ブラケット１３とを有し、天井枠組１４を構成する。
【００１３】
側野縁１１は、リップ付Ｃ形鋼２０からなり、ウエブ２１、上下のフランジ２２、２３、上下のリップ２４、２５を備えるとともに、ウエブ２１と上フランジ２２との交差部にて長手方向に連続する陥凹状段差部２６を備える。
【００１４】
野縁１２は、角鋼管３０（ライトスチール）からなり、両端部に折曲げ形成した左右のフランジ３１、３１を備え、これらのフランジ３１が側野縁１１（Ｃ形鋼２０）のウエブ２１にネジ結合する等にて接合される。
【００１５】
取付用ブラケット１３は、２個のＬ形板を背中合せに溶接等して構成したＴ形板４０からなり、Ｔ形板４０の両脚部４１が側野縁１１（Ｃ形鋼２０）の上下のリップ２４、２５に架け渡されてネジ結合される等して固定される（図２）。
Ｔ形板４０は、取着部４２を備える。
【００１６】
尚、天井パネル１０では、天井枠組１４を構成した側野縁１１、野縁１２の下面に天井面材１６を取着し、側野縁１１の段差部２６、野縁１２の上面に足場板１７を載架できる。
【００１７】
従って、建物ユニット１に天井パネル１０を組付ける手順は以下の如くになる。
【００１８】
(1)天井パネル１０を例えば１階建物ユニット１Ａにおいて壁パネル２で囲まれる上部空間に吊り込み、取付用ブラケット１３の取着部４２を壁パネル２の上枠２Ａに預け、取着部４２を上枠２Ａにネジ結合等して取着する（図３）。
【００１９】
(2)１階建物ユニット１Ａの上に２階建物ユニット１Ｂを据付ける。このとき、取付用ブラケット１３の取着部４２は、１階建物ユニット１Ａの壁パネル２の上枠２Ａと２階建物ユニット１Ｂの床パネル３の頭つなぎ３Ａとに挟まれる（図４）。
【００２０】
本実施形態によれば、以下の作用がある。
（１）天井パネル１０において、天井枠組１４の側野縁１１を構成するＣ形鋼２０の上下のリップ２４、２５を取付用ブラケット１３で連結したから、Ｃ形鋼２０の剛性を高くし、且つ上下のフランジ３１の開き変位を抑制できる。これにより、天井パネル１０の強度、形状精度を安定確保できる。
【００２１】
（２）天井枠組１４の側野縁１１の上面でウエブ２１側の角部に陥凹状段差部２６を備えるものとしたから、相対する側野縁１１の上記段差部２６に足場板１７や防火用面材の両端部を支持させることができ、天井枠組１４の野縁の上部にそれらの足場板１７や防火用面材を張り設けることができる。
【００２２】
（３）天井枠組１４の側野縁１１の上面でウエブ２１側の角部に陥凹状段差部２６を備えるものとしたから、側野縁１１の断面の剛性を向上し、ひいては天井パネル１０の強度、形状精度を向上できる。
【００２３】
（第２実施形態）（図５〜図８）
第２実施形態の壁パネル５０が第１実施形態の壁パネル１０と異なる点は、図５、図７に示す如く、取付用ブラケット１３に代わる取付用ブラケット５１を用いたことにあり、建物ユニット１における壁パネル２のより上位に設置される。
【００２４】
取付用ブラケット５１は、Ｌ形板５２からなり、脚部５２Ａと、脚部５２Ａの下縁に垂設される取着部５２Ｂを有し、脚部５２Ａが側野縁１１（Ｃ形鋼２０）の上下のリップ２４、２５に架け渡されてネジ結合される等にて固定される（図６）。
【００２５】
従って、建物ユニット１に天井パネル５０を組付ける手順は以下の如くになる。
【００２６】
(1)天井パネル５０を例えば２階建物ユニット１Ｂの壁パネル２の上枠２Ａに預け、取付用ブラケット５１の取着部５２Ｂを上枠２Ａにネジ結合等して取着する（図７）。
【００２７】
(2)２階建物ユニット１Ｂの上に屋根ユニット４を据付ける。このとき、取付用ブラケット５１の取着部５２Ｂは、２階建物ユニット１Ｂの壁パネル２の上枠２Ａと屋根ユニット４の頭つなぎ４Ａとに挟まれる（図８）。
【００２８】
本実施形態によれば、以下の作用がある。
（１）天井パネル５０において、天井枠組１４の側野縁１１を構成するＣ形鋼２０の上下のリップ２４、２５を取付用ブラケット５１で連結したから、Ｃ形鋼２０の剛性を高くし、且つ上下のフランジ２２、２３の開き変位を抑制できる。これにより、天井パネル５０の強度、形状精度を安定確保できる。
【００２９】
（２）天井枠組１４の側野縁１１の上面でウエブ２１側の角部に陥凹状段差部２６を備えるものとしたから、相対する側野縁１１の上記段差部２６に足場板１７や防火用面材の両端部を支持させることができ、天井枠組１４の野縁の上部にそれらの足場板１７や防火用面材を張り設けることができる。
【００３０】
（３）天井枠組１４の側野縁１１の上面でウエブ２１側の角部に陥凹状段差部２６を備えるものとしたから、側野縁１１の断面の剛性を向上し、ひいては天井パネル５０の強度、形状精度を向上できる。
【００３１】
（第３実施形態）（図９、図１０）
第３実施形態の天井パネル６０が第１実施形態の天井パネル１０と異なる点は、図９、図１０に示す如く、取付用ブラケット１３に代わる取付用ブラケット６１を用いたことにあり、１階建物ユニット１Ａの壁のない部分の上部に、２階建物ユニット１Ｂの床パネル３の側根太３Ｂから吊られる。
【００３２】
取付用ブラケット６１は、Ｌ形板６２からなり、脚部６２Ａと、脚部６２Ａの上縁に垂設する取着部６２Ｂを有し、脚部６２Ａが側野縁１１（Ｃ形鋼２０）の上下のリップ２４、２５に架け渡されてネジ結合される等にて固定される（図９）。
【００３３】
従って、天井パネル６０は１階建物ユニット１Ａの壁のない部分に以下の手順で組付けられる。
【００３４】
(1)２階建物ユニット１Ｂの床パネル３の側根太３ＢにＬ字状吊金物６３を固定する。吊金物６３の水平板部６３Ａの上下に防振ゴム６４Ａ、６４Ｂ、６４Ｃを介して取着されるボルト６５を用いる。
【００３５】
(2)上述(1)のボルト６５の下端部に天井パネル６０の取着部６２Ｂの長孔部を挿着し、これをナット６６で締結する（図１０）。
【００３６】
本実施形態によれば、以下の作用がある。
（１）天井パネル６０において、天井枠組１４の側野縁１１を構成するＣ形鋼２０の上下のリップ２４、２５を取付用ブラケット６１で連結したから、Ｃ形鋼２０の剛性を高くし、且つ上下のフランジ２２、２３の開き変位を抑制できる。これにより、天井パネル６０の強度、形状精度を安定確保できる。
【００３７】
（２）天井枠組１４の側野縁１１の上面でウエブ２１側の角部に陥凹状段差部２６を備えるものとしたから、相対する側野縁１１の上記段差部２６に足場板１７や防火用面材の両端部を支持させることができ、天井枠組１４の野縁の上部にそれらの足場板１７や防火用面材を張り設けることができる。
【００３８】
（３）天井枠組１４の側野縁１１の上面でウエブ２１側の角部に陥凹状段差部２６を備えるものとしたから、側野縁１１の断面の剛性を向上し、ひいては天井パネル６０の強度、形状精度を向上できる。
【００３９】
（第４実施形態）（図１１、図１２）
第４実施形態の天井パネル７０が第１実施形態の天井パネル１０と異なる点は、側野縁１１に対する野縁１２の接合構造にある。即ち、天井パネル７０における側野縁１１と野縁１２の接合構造をその取付手順について示せば、下記(1)〜(4)の如くになる。
【００４０】
(1)側野縁１１を構成するＣ形鋼２０のウエブ２１における、野縁１２の接合部に、上下２個の切り起こし接合片を起こすためのＨ形スリット７１を予め入れておく。
【００４１】
(2)側野縁１１のＨ形スリット７１が設けられたウエブ２１に野縁１２（角鋼管３０）を突き合わせる。
【００４２】
(3)コア７２を側野縁１１のウエブ２１の内側からＨ形スリット７１に押し込み、Ｈ形スリット７１を拡開させて上下の切り起こし接合片２１Ａ、２１Ｂを切り起こしつつ、野縁１２（角鋼管３０）の内部へ進入させる。切り起こし接合片２１Ａ、２１Ｂは野縁１２（角鋼管３０）の上下の内面に重ねられる。
【００４３】
(4)上下のかしめ用パンチ７３Ａ、７３Ｂを前進させ、野縁１２（角鋼管３０）の上下面のそれぞれと側野縁１１の上下の切り起こし接合片２１Ａ、２１Ｂのそれぞれの重ね合せ部を、上下のかしめ用パンチ７３Ａ、７３Ｂとコア７２の間で挟圧してかしめ接合する。
【００４４】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、側野縁１１（Ｃ形鋼２０）のウエブ２１と野縁１２の接合構造は他の方法によることができるし、側野縁１１（Ｃ形鋼２０）の上下のリップ２４、２５と取付用ブラケット１３の固定構造も他の方法によることができる。
【００４５】
【発明の効果】
以上のように本発明によれば、側野縁の側面に野縁の端部を接合して天井枠組を構成してなる天井パネルにおいて、その天井パネルの強度、形状精度を安定確保することができる。
【図面の簡単な説明】
【図１】  図１は第１実施形態の天井パネルを示し、（Ａ）は断面図、（Ｂ）は要部斜視図である。
【図２】  図２は側野縁と取付用ブラケットを示す斜視図である。
【図３】  図３は天井パネルの取付状態を示し、（Ａ）は全体斜視図、（Ｂ）は要部斜視図である。
【図４】  図４は天井パネルの取付構造を示す断面図である。
【図５】  図５は第２実施形態の天井パネルを示し、（Ａ）は断面図、（Ｂ）は要部斜視図である。
【図６】  図６は側野縁と取付用ブラケットを示す斜視図である。
【図７】  図７は天井パネルの取付状態を示し、（Ａ）は全体斜視図、（Ｂ）は要部斜視図である。
【図８】  図８は天井パネルの取付構造を示す断面図である。
【図９】  図９は第３実施形態の側野縁と取付用ブラケットを示し、（Ａ）は斜視図、（Ｂ）は断面図である。
【図１０】  図１０は天井パネルの取付構造を示す断面図である。
【図１１】  図１１は第４実施形態の側野縁と野縁との接合構造を示す斜視図である。
【図１２】  図１２は図１１の接合工程を示す断面図である。
【符号の説明】
１０、５０、６０、７０  天井パネル
１１  側野縁
１２  野縁
１３、５１、６１  取付用ブラケット
２０  リップ付Ｃ形鋼
２１  ウエブ
２２、２３  フランジ
２４、２５  リップ
２６  段差部
【図１】
0004242046.tif 000002
【図２】
0004242046.tif 000003
【図３】
0004242046.tif 000004
【図４】
0004242046.tif 000005
【図５】
0004242046.tif 000006
【図６】
0004242046.tif 000007
【図７】
0004242046.tif 000008
【図８】
0004242046.tif 000009
【図９】
0004242046.tif 000010
【図１０】
0004242046.tif 000011
【図１１】
0004242046.tif 000012
【図１２】
0004242046.tif 000013